(57)【要約】      （修正有）【課題】その場を離れてもよく、玉子焼を焼く器と卵がくっついたり、焦げ付いたりせず、簡単に目玉焼ができる電気加熱調理機用目玉焼器を提供する。【解決手段】玉子焼器と卵が焼く時にくっつかないようにするために、テフロンコーティング加工又はマーブルコーティング加工を施し、材質はアルミ合金で、目玉焼１個分を焼ける大きさの直径１０センチ、深さ１．５センチ、厚さ２ミリほどの皿状の目玉焼器を形成し、それに生卵を割って入れ電気加熱調理機用（オーブントースター・電子レンジなど）で一定時間（オーブントースターなら約４分）焼けば目玉焼を調理できる。この目玉焼器を使うことにより、器と卵がくっつくことなく焦げることもなく調理でき、また火を使わずに電気加熱調理機の調理時間をセットするだけで、簡単に目玉焼やハムエッグなどが調理できる。【選択図】図１
0003166892.tif 000002
【実用新案登録請求の範囲】
【請求項１】
１個分の目玉焼きを作るための、テフロンコーティング加工、又はマーブルコーティング加工が施された電気加熱調理機用（オーブントースター・電子レンジなど）目玉焼き器
【考案の詳細な説明】
【技術分野】
【０００１】  本考案は、一個分の目玉焼きを作るための、テフロンコーティング加工やマーブルコーティング加工が施された、電気加熱調理機用目玉焼き器に関するものである。
【背景技術】
【０００２】  従来は、目玉焼きを作る場合、フライパンに油を入れて火を使って焼いて作った。
【考案の開示】
【考案が解決しようとする課題】
【０００３】  フライパンで目玉焼きを焼く場合、油や火を使うため、調理中の場を離れることができなかった。またフライパンと目玉焼きがくっついてしまったり、焦げ付いたりして調理に手間がかかった。そこで、その場を離れてもよく、玉子焼きを焼く器と卵がくっついたり、焦げ付いたりせず、簡単に目玉焼きができる電気加熱調理機用目玉焼き器を提供することを課題とする。
【課題を解決するための手段】
【０００４】  以上の課題を解決するために、テフロンコーティング加工またはマーブルコーティング加工を施された１個分の目玉焼きを焼く器を造り、その器で火を使わずに電気加熱調理機用で一定時間焼くことにより目玉焼きが調理でき課題を解決することができる。
【考案の効果】
【０００５】  この考案によれば、調理する時に電気加熱調理機用目玉焼き器と卵がくっつかない効果がある。また電気加熱調理機を使用することにより、調理時間をセットするだけでいいので調理が簡単であり、一定時間がくれば電気が切れるため、フライパンで調理する時のように、焦げることもなく、その場に付いていなくてもよいという効果がある。
【考案を実施するための形態】
【０００６】  この考案の一実施形態を、図１に示す。
材質はアルミ合金で、目玉焼き１個分が焼けるほどの大きさの直径１０センチ、深さ１．５センチ、厚さ２ミリほどの皿型の形状のものをプレス加工により形成する。それにテフロンコーティング加工を施す。
【０００７】テフロンコーティング加工工程は、基材の表面に付着している油脂などを取り除くため、溶剤洗浄または空焼きを行います。基材とフッ素樹脂コーティング膜との接着性を向上させるためにブラスト処理を行います。耐久性を高めるため、ブラスト後にセラミック溶射を行うこともあります。エアスプレーガンまたは静電粉体塗装機により、吹き付け塗装します。金庫型の焼成炉を使用し、フッ素樹脂の乾燥と焼成を行います。必要に応じて、吹き付け、焼成の工程を繰り返します。（参照ＵＲＬ  ｈｔｔｐ：／／ｗｗｗ．ｋａ−ｇｉｋｅｎ．ｃｏｍ／ｔｅｈｕｒｏｎ．ｈｔｍｌ）
【図面の簡単な説明】
【０００８】
【図１】電気加熱調理機用目玉焼き器の斜視図である。
【図２】電気加熱調理機用目玉焼き器の上面図である。
【図３】電気加熱調理機用目玉焼き器の中央断面図である。
【符号の説明】
【０００９】１  目玉焼き器本体
【図１】
0003166892.tif 000003
【図２】
0003166892.tif 000004
【図３】
0003166892.tif 000005
【手続補正書】
【提出日】平成22年12月20日(2010.12.20)
【手続補正１】
【補正対象書類名】実用新案登録請求の範囲
【補正対象項目名】全文
【補正方法】変更
【補正の内容】
【実用新案登録請求の範囲】
【請求項１】
材質はアルミ合金で、１個分の目玉焼きを調理できる程度の大きさであり、皿型の形状で、テフロン（登録商標）コーティング加工またはマーブルコーティング加工が施された電気加熱調理機用目玉焼き器
【手続補正２】
【補正対象書類名】明細書
【補正対象項目名】全文
【補正方法】変更
【補正の内容】
【考案の詳細な説明】
【技術分野】
【０００１】  本考案は、１個分の目玉焼きを調理するための、テフロン（登録商標）コーティング加工またはマーブルコーティング加工が施された、電気加熱調理機で使用する目玉焼き器に関するものである。
【背景技術】
【０００２】  従来は、目玉焼きを調理する場合、フライパンに油を入れてガスコンロなどで火を使って焼いて調理した。
【考案の開示】
【考案が解決しようとする課題】
【０００３】  フライパンで目玉焼きを焼く場合、油や火を使うため、目を離すことができなかったり、油が付いているためフライパンを洗う時に手間がかかった。またフライパンと卵がくっついたり焦げ付いたりした。以上のような難点があったが、油や火を使わずに目玉焼きが調理でき、後かたづけに手間がかからず、目玉焼きを焼く器と卵がくっついたり焦げ付いたりしない電気加熱調理機用目玉焼き器を提供することを課題とする。
【課題を解決するための手段】
【０００４】  以上の課題を解決するために、材質がアルミ合金で、１個分の目玉焼きを調理できる程度の大きさの皿型の形状の器を形成し、それにテフロン（登録商標）コーティング加工またはマーブルコーティング加工を施す。その器で油や火を使わずに電気加熱調理機で一定時間熱することにより目玉焼きを調理することができる。
【考案の効果】
【０００５】  この考案によれば、電気加熱調理機を使用することにより、火を使わずに調理でき、調理時間をセットしておけば、一定時間がくれば電気が切れるため、油や火を使って調理する時のように、その場について見ている必要はなく、目玉焼き器を洗う時も油を使わないため手間がかからない。また目玉焼き器と卵がくっついたり焦げ付いたりしない効果がある。
【考案を実施するための形態】
【０００６】  この考案の一実施形態を、［図１］に示す。
材質はアルミ合金で、目玉焼き１個分が焼けるほどの大きさの直径１０センチ、深さ１．５センチ、厚さ２ミリほどの皿型の形状のものをプレス加工により形成する。
【０００７】  上記のように形成した器にテフロン（登録商標）コーティング加工を施す。テフロン（登録商標）コーティング加工工程は、基材の表面に付着している油脂などを取り除くため、溶剤洗浄または空焼きを行う。基材とフッ素樹脂コーティング膜との接着性を向上させるためにブラスト処理を行う。耐久性を高めるため、ブラスト後にセラミック溶射を行うこともある。エアスプレーガンまたは静電粉体塗装機により、吹き付け塗装する。金庫型の焼成炉を使用し、フッ素樹脂の乾燥と焼成を行う。必要に応じて、吹き付け、焼成の工程を繰り返す。
【図面の簡単な説明】
【０００８】
【図１】電気加熱調理機用目玉焼き器の斜視図である。
【図２】電気加熱調理機用目玉焼き器の上面図である。
【図３】電気加熱調理機用目玉焼き器の中央断面図である。
【符号の説明】
【０００９】  １  目玉焼き器本体
【手続補正３】
【補正対象書類名】図面
【補正対象項目名】全図
【補正方法】変更
【補正の内容】
【図１】
0003166892.tif 000006
【図２】
0003166892.tif 000007
【図３】
0003166892.tif 000008